(57)【要約】【課題】本発明は、加湿空気清浄機において、臭気の抑制を図ることを目的とするものである。【解決手段】吸気口４と排気口５を有する本体ケース６と、この本体ケース６内に設けた送風機７と、集塵フィルター８と、加湿器１０とを備え、加湿器１０は、加湿水１１が収納された加湿容器１２と、この加湿容器１２内の加湿水１１にその下端が浸漬された加湿体１３とを有し、送風機７の吹出側から本体ケース６の排気口５の間に、この送風機７の吹出側から本体ケース６の排気口５を結ぶ排気経路１５と、送風機７の吹出側から、加湿器１０を介して排気口５を結ぶ排気経路１６を形成し、排気口５の近傍において、排気経路１５と、排気経路１６を選択的に閉成する閉成板１７を設けた。【選択図】図５
2012068005.tif 000002
【特許請求の範囲】
【請求項１】
吸気口と排気口を有する本体ケースと、この本体ケース内に設けた送風機と、この送風機の吸込側と前記本体ケースの吸気口の間に設けたフィルターと、前記本体ケース内の下方に設けた加湿器とを備え、前記加湿器は、加湿水が収納された加湿容器と、この加湿容器内の前記加湿水にその下端が浸漬された加湿体とを有し、前記送風機の吹出側から前記本体ケースの排気口の間に、この送風機の吹出側から前記本体ケースの排気口を結ぶ第１の排気経路と、前記送風機の吹出側から、前記加湿器を介して前記本体ケースの排気口を結ぶ第２の排気経路を形成し、前記本体ケースの排気口の近傍において、前記第１の排気経路と、第２の排気経路を選択的に閉成する閉成板を設けた加湿空気清浄機。
【請求項２】
第２の排気経路の加湿体より下流の部分を、本体ケース内の背面側に配置し、本体ケースの排気口は、この本体ケースの上面側に開口させた請求項１に記載の加湿空気清浄機。
【請求項３】
送風機としてターボファンを用いた請求項１または２に記載の加湿空気清浄機。
【請求項４】
活性物質を発生させる活性物質発生手段を送風機と排気口との間に備え、排気口を開閉する排気口開閉手段を排気口と室内とを隔てる本体ケース上部に設けた請求項１から３のいずれか一項に記載の加湿空気清浄機。
【発明の詳細な説明】
【技術分野】
【０００１】
本発明は、室内空気の加湿、および、空気清浄を行う加湿空気清浄機に関するものである。
【背景技術】
【０００２】
従来、この種の加湿空気清浄機は、以下のような構成となっていた。
【０００３】
すなわち、吸気口と、空気清浄用の第一の排気口と、加湿用の第二の排気口を有する本体ケースと、この本体ケース内に設けた送風機と、この送風機の吸込側と前記本体ケースの吸気口の間に設けたフィルターと、前記本体ケース内の下方に設けた加湿器とを備えた構成となっていた。
【０００４】
また、前記加湿器は、加湿水が収納された加湿容器と、この加湿容器内の前記加湿水にその下端が浸漬された加湿体とを有する構成となっている。
【０００５】
さらに、前記送風機の吹出側から前記本体ケースの第一の排気口の間には、第一の排気経路を設け、さらにまた前記送風機の吹出側から、前記本体ケースの第二の排気口の間には、第二の排気経路を設け、この第二の排気経路内に、前記加湿器を介在させていた。
【０００６】
そして、前記第二の排気経路の送風機の吹出側と加湿器との間には、この第二の排気経路を閉じる閉成板を設けた構成となっていた（例えば、これに類似する先行文献として下記特許文献１が存在する）。
【先行技術文献】
【特許文献】
【０００７】
【特許文献１】特開２００３−２８９５４２号公報
【発明の概要】
【発明が解決しようとする課題】
【０００８】
上記従来例における課題は、加湿器使用初期において、僅かながらの生乾き臭が発生するということであった。
【０００９】
すなわち、空気清浄機として使用する場合には、第二の排気経路を閉成板で閉じることで、加湿器には送風機からの送風が到達しないようにしており、この時には、本体ケースの吸気口から吸い込まれた室内空気はフィルターを通過して浄化され、次に送風機を介して空気清浄用の第一の排気口から室内へと放出される。
【００１０】
しかしながら、この時にも加湿体の下端は加湿水に浸漬されているので、この加湿体の上端部は、次第に水分が蒸発して生乾き状態となっている。
【００１１】
従って、この状態において、閉成板を開放して、加湿器を使用すると、上端部が生乾きである加湿体に送風され、この時には生乾き臭が加湿用の第二の排気口から室内に放出されることになるのである。
【００１２】
これは、加湿初期に発生する生乾き臭としてよく知られているものであるが、その対策が求められている。
【００１３】
そこで、本発明は、この臭気の発生を抑制することを目的とするものである。
【課題を解決するための手段】
【００１４】
そして、この目的を達成するために、本発明は、吸気口と排気口を有する本体ケースと、この本体ケース内に設けた送風機と、この送風機の吸込側と前記本体ケースの吸気口の間に設けたフィルターと、前記本体ケース内の下方に設けた加湿器と、前記加湿器は、加湿水が収納された加湿容器とを備え、この加湿容器内の前記加湿水にその下端が浸漬された加湿体とを有し、前記送風機の吹出側から前記本体ケースの排気口の間に、この送風機の吹出側から本体ケースの排気口を結ぶ第一の排気経路と、前記送風機の吹出側から、前記、加湿器を介して前記本体ケースの排気口を結ぶ第二の排気経路を形成し、前記本体ケースの排気口の近傍において、前記第一の排気経路と、第二の排気経路を選択的に閉成する閉成板を設け、これにより初期の目的を達成するものである。
【発明の効果】
【００１５】
以上のように本発明は、吸気口と排気口を有する本体ケースと、この本体ケース内に設けた送風機と、この送風機の吸込側と前記本体ケースの吸気口の間に設けたフィルターと、前記本体ケース内の下方に設けた加湿器とを備え、前記加湿器は、加湿水が収納された加湿容器と、この加湿容器内の前記加湿水にその下端が浸漬された加湿体とを有し、前記送風機の吹出側から前記本体ケースの排気口の間に、この送風機の吹出側から本体ケースの排気口を結ぶ第一の排気経路と、前記送風機の吹出側から、前記、加湿器を介して前記本体ケースの排気口を結ぶ第二の排気経路を形成し、前記本体ケースの排気口の近傍において、前記第一の排気経路と、第二の排気経路を選択的に閉成する閉成板を設けたものであり、臭気の発生を抑制することができる。
【００１６】
すなわち、本発明において、加湿器を使用しない時には、この加湿器下流の第二の排気経路が閉成板によって閉じられているので、送風機の吹出風の圧力により、第二の排気経路内が加圧状態となり、その結果として加湿容器内の加湿水の水位が押し下げられる。
【００１７】
すると、毛細管現象により吸い上げられている加湿体内の加湿水は押し上げられ、その結果として、加湿体の上端部は常に湿潤した状態となり、生乾きの状態にはならなくなる。
【００１８】
このため、加湿器の使用時に、加湿器下流の第二の排気経路を開放し、これによって加湿器に送風が行われるようになっても、この加湿初期の生乾き臭の発生を抑制することができるのである。
【図面の簡単な説明】
【００１９】
【図１】本発明の加湿空気清浄機の使用状態を示した斜視図
【図２】同実施の形態１の加湿空気清浄機の分解斜視図
【図３】同実施の形態１の加湿空気清浄機の空気清浄運転時の断面を示す構成図
【図４】同実施の形態１の加湿空気清浄機の加湿空気清浄運転時の断面を示す構成図
【図５】同実施の形態２の加湿空気清浄機の断面を示す構成図
【発明を実施するための形態】
【００２０】
以下、本発明の実施形態を、添付図面を用いて説明する。
【００２１】
（実施の形態１）
図１において、１は加湿空気清浄機で、室内２の床３上に設置され、後述するように、空気清浄運転と、加湿空気清浄運転を選択的に行うことができるようになっている。
【００２２】
前記加湿空気清浄機１は、図２、図３に示すように、前面側の吸気口４と、上面側の排気口５を有する箱型の本体ケース６を有する。
【００２３】
また、前記本体ケース６内の上下方向の中央部分には送風機７が設けられ、この送風機７の吸込側と前記本体ケース６の吸気口４の間には、吸気口４側から送風機７に向けて集塵フィルター８と、脱臭フィルター９が設置されている。
【００２４】
一方、前記本体ケース６内の下方（送風機７の下方）には加湿器１０が設けられている。
【００２５】
この加湿器１０は、加湿水１１が収納された上面が開口した加湿容器１２と、この加湿容器１２内の前記加湿水１１内に、その下端が浸漬された薄板状の加湿体１３と、前記加湿容器１２内に水を補給するための給水タンク１４とを有する。
【００２６】
前記送風機７はターボファンにて構成され、しかもその外周に送風ガイドを設けていないので、その全周方向が空気の吹出す方向となっている。
【００２７】
このような送風機７の吹出側から前記本体ケース６の排気口５の間には、この送風機７の吹出側から本体ケース６の排気口５を結ぶ排気経路１５と、前記送風機７の吹出側から前記加湿器１０を介して前記本体ケース６の排気口５を結ぶ排気経路１６が形成されている。
【００２８】
また、前記本体ケース６の排気口５の近傍において、前記排気経路１５と、排気経路１６を選択的に閉成する閉成板１７を設けている。
【００２９】
なお、排気経路１６の加湿体１３より下流の部分は、本体ケース６内の背面側に配置し、本体ケース６の排気口５は、この本体ケース６の上面側に開口させているので、本体ケース６の左右方向の薄型化が図れる。
【００３０】
上記構成において、図３は加湿空気清浄機１を空気清浄運転している状態を示している。
【００３１】
すなわち、排気経路１６が、閉成板１７によって選択的に閉成されている。
【００３２】
この場合、送風機７を駆動すると、本体ケース６の吸気口４から吸込まれた空気は、集塵フィルター８、脱臭フィルター９、の順に通過し、通過する際に、集塵フィルター８においては、埃、アレルゲン等が濾し取られ、脱臭フィルター９においては、脱臭フィルター９内に充填された活性炭で臭気成分が吸着され、この結果として空気が浄化される。
【００３３】
そして、このように浄化された空気が送風機（ターボファン）７の吸込側から吸込まれ、その全周から吹き出される。
【００３４】
このとき、この送風機７の吹出側から本体ケース６の排気口５を結ぶ排気経路１５は図３のごとく、閉成板１７によって閉成されておらず、逆に前記送風機７の吹出側から前記加湿器１０を介して前記本体ケース６の排気口５を結ぶ排気経路１６は閉成板１７によって閉成されている。
【００３５】
このため、送風機（ターボファン）７の全周から吹き出された空気は、加湿器１０を経由しない排気経路１５を通り、排気口５から室内２に向けて、吹き出される。
【００３６】
このように排気経路１６を閉成し、排気経路１５に送風する運転を、上述のごとく空気清浄運転という。
【００３７】
この空気清浄運転においては、排気経路１６は、排気口５に通じる経路が閉成板１７により閉じられているため、送風機（ターボファン）７から排気経路１６側に吹き出された空気は排気されずに排気経路１６内に滞留する。そのため、この排気経路１６内は、送風機（ターボファン）７からの吹出風の圧力により、加圧状態となる。
【００３８】
この結果、排気経路１６内に設けた加湿容器１２内の加湿水１１の水位が押し下げられ（図４との比較からも理解されるように）、続いて加湿体１３内の水位は、毛細管現象により押し上げられ、これにより加湿体１３の上端部は常に湿潤した状態となり、生乾きの状態にはならなくなる。
【００３９】
このため、図４のごとく、加湿器１０を使用する時に、加湿器１０下流の排気経路１６を開放し、これによって加湿器１０に送風が行われるようになっても、この加湿初期の生乾き臭の発生を抑制することができるのである。
【００４０】
図４は、上述のごとく加湿空気清浄運転を示しており、この時には、排気経路１５が閉成板１７によって選択的に閉成され、排気経路１６は開放された状態となる。
【００４１】
したがって、送風機（ターボファン）７を駆動すると、本体ケース６の吸気口４から吸込まれた空気は、集塵フィルター８、脱臭フィルター９の順に通過し、通過する際に、集塵フィルター８においては、埃、アレルゲン等が濾し取られ、脱臭フィルター９においては、脱臭フィルター９内に充填された活性炭が臭気成分を吸着して、空気を浄化する。
【００４２】
そして、このように浄化された空気は次に送風機（ターボファン）７吸込側から吸込まれ、次にその全周の吹出側から吹き出され、その後、加湿器１０を経由する排気経路１６を通って、排気口５から室内２に吹き出される。
【００４３】
このように排気経路１５を閉成し、排気経路１６に送風する運転を、上述のごとく加湿空気清浄運転という。
【００４４】
この加湿空気清浄運転においては、図４に示すように、排気経路１５は、排気口５に通じる経路が閉成板１７により閉じられているため、送風機（ターボファン）７からの送風は、排気経路１６にのみ送風される。
【００４５】
また、このように、送風機（ターボファン）７の吹出側から吹き出された空気は、加湿体１３を通過する。
【００４６】
そして、加湿体１３を通過する際に、この空気によって、加湿体１３に含まれる加湿水１１が気化し、空気が加湿される。
【００４７】
このように、加湿空気清浄運転時には、浄化、加湿された空気が、排気口５から室内２に送風される。
【００４８】
また、この加湿空気清浄運転時には、加湿体１３には常に加湿水１１が供給・放出され、加湿体１３の上端部にまで水が吸収された状態で維持されるため、加湿体１３の上端部が生乾き状態とならない。従って、空気清浄運転および加湿空気清浄運転のいずれの運転においても、加湿体１３の上端部が生乾き状態になりにくいので、生乾き臭を抑制することができるのである。
【００４９】
なお、夏場など加湿する必要がなく空気清浄運転のみ使用する場合は、加湿容器１２内に加湿水１１は供給されていない。したがって、この場合においては、加湿体１３は加湿水１１を吸収することはなく、加湿体１３の下端から上端まで乾燥した状態である。そのため、加湿体１３の上端が生乾きの状態になることはなく、生乾き臭は発生しない。
【００５０】
（実施の形態２）
図５に示す本実施形態の実施の形態１との違いは、活性物質発生手段１８を送風機７と排気口５の間に備え、排気口開閉手段１９を排気口５と室内とを隔てる本体ケース６上部に設け、後述する加湿体除菌運転を行える点であり、実施の形態１の図３および図４と同様の構成要素については同一の符号を付し、その詳細な説明は省略する。
【００５１】
また、図５では、破線で空気清浄運転時の排気経路１５、点線で加湿空気清浄運転時の排気経路１６を示している。
【００５２】
空気清浄運転時には、図５に示すように排気口開閉手段１９によって排気口５が開かれ、排気経路１５を介して空気が排気される。すなわち、吸気口４から取り込まれた空気は、集塵フィルター８、脱臭フィルター９を介して、送風機７に送られ、排気口５から室内に放出される。このとき、活性物質発生手段１８は、送風機７と排気口５の間の風路上に設けられており、送風機７から送られた空気と活性物質発生手段１８により発生した活性物質は、排気口５から室内に放出される。
【００５３】
また、加湿空気清浄運転時には、図５に示すように排気口開閉手段１９によって排気口５が開かれ、排気経路１６を介して空気が排気される。すなわち、吸気口４から取り込まれた空気は、集塵フィルター８、脱臭フィルター９を介して送風機７に送られ、送られた空気は加湿体１３を介して排気口５から室内に放出される。このとき、送風機７から送られ加湿体１３によって加湿された空気は上記の空気清浄運転時と同様に活性物質発生手段１８より発生した活性物質を伴い、排気口５から室内に放出される。
【００５４】
一方、加湿体除菌運転時には、送風機７の運転を停止し、活性物質発生手段１８を運転する。このとき、排気経路１５は閉成板１７によって閉じられ、排気口５は排気口開閉手段１９によって閉じられており、閉鎖風路２０内部で空気が滞留する状態となっている。すなわち、閉鎖風路２０内部では、活性物質発生手段１８により発生した活性物質が閉鎖風路２０の上部側から下部側へ下降し、閉鎖風路２０下部側に備えられた加湿体１３の表面近傍に到達し、加湿体１３に付着した細菌を除菌し、臭気物質を分解する。なお、加湿水１１に対しても活性物質発生手段１８より発生した活性物質が一部溶け込み、加湿水１１中の細菌を除菌し、臭気物質を分解することにより、加湿体を清潔に保つことができる。つまり、生乾き臭の原因となっている細菌を除菌でき、加湿体１３表面の臭気物質も分解することができるので、加湿運転時に生乾き臭の発生を抑制することができるのである。
【産業上の利用可能性】
【００５５】
以上のごとく本発明においては、加湿器を使用しない時には、この加湿器下流の第二の排気経路が閉成板によって閉じられているので、送風機の吹出風の圧力により、第二の排気経路内が加圧状態となり、その結果として加湿容器内の加湿水の水位が押し下げられる。
【００５６】
すると、毛細管現象により吸い上げられている加湿体内の加湿水は押し上げられ、その結果として、加湿体の上端部は常に湿潤した状態となり、生乾きの状態にはならなくなる。
【００５７】
このため、加湿器の使用時に、加湿器下流の第二の排気経路を開放し、これによって加湿器に送風が行われるようになっても、この加湿初期の生乾き臭の発生を抑制することができるのである。
【００５８】
したがって、加湿空気清浄機として極めて有用なものとなる。
【符号の説明】
【００５９】
１    加湿空気清浄機
２    室内
３    床
４    吸気口
５    排気口
６    本体ケース
７    送風機
８    集塵フィルター
９    脱臭フィルター
１０  加湿器
１１  加湿水
１２  加湿容器
１３  加湿体
１４  給水タンク
１５  排気経路
１６  排気経路
１７  閉成板
１８  活性物質発生手段
１９  排気口開閉手段
２０  閉鎖風路
【図１】
2012068005.tif 000003
【図２】
2012068005.tif 000004
【図３】
2012068005.tif 000005
【図４】
2012068005.tif 000006
【図５】
2012068005.tif 000007